(57)【要約】【課題】  ＩＤ管理装置３、運用管理装置２、回線制御装置１、基地局装置Ａ１、Ａ２及び無線端末装置Ｂ１、Ｂ２を有した無線通信システムで、無線端末装置Ｂ１、Ｂ２に設定される識別情報（ＩＤ）などの環境情報を効果的に管理する。【解決手段】  ＩＤ管理装置３では、ＩＤ情報設定手段が、無線端末装置Ｂ１、Ｂ２に対して、ＩＤに関する情報を設定する。ＩＤ管理装置３や運用管理装置２や回線制御装置１では、ＩＤ情報記憶手段（例えば、記憶部４）が、ＩＤ管理装置３により無線端末装置Ｂ１、Ｂ２に対して設定されるＩＤに関する情報を記憶する。【選択図】  図１
2006074307.tif 000002
【特許請求の範囲】
【請求項１】
ＩＤ管理装置と、運用管理装置と、回線制御装置と、基地局装置と、無線端末装置を有した無線通信システムにおいて、
前記ＩＤ管理装置は、前記無線端末装置に対してＩＤに関する情報を設定するＩＤ情報設定手段を備え、
前記ＩＤ管理装置と前記運用管理装置と前記回線制御装置のうちの１つ以上の装置は、前記ＩＤ管理装置により前記無線端末装置に対して設定される前記ＩＤに関する情報を記憶するＩＤ情報記憶手段を備えた、
ことを特徴とする無線通信システム。
【請求項２】
請求項１に記載の無線通信システムにおいて、
前記ＩＤ情報記憶手段には、前記無線端末装置に関する環境情報が記憶され、
前記ＩＤ管理装置と前記運用管理装置と前記回線制御装置のうちの１つ以上の装置は、前記ＩＤ情報記憶手段に記憶された前記無線端末装置に関する環境情報に基づく処理を実行する環境情報処理実行手段を備えた、
ことを特徴とする無線通信システム。
【請求項３】
請求項１又は請求項２に記載の無線通信システムにおいて、
前記ＩＤに関する情報として、前記無線端末装置が属するグループを識別するグループＩＤの情報が用いられ、
前記ＩＤ管理装置の前記ＩＤ情報設定手段は、前記無線端末装置に設定された当該無線端末装置が属するグループＩＤの情報を変更して、無線端末装置のグループ編成を変更する、
ことを特徴とする無線通信システム。
【請求項４】
ＩＤ管理装置と、運用管理装置と、回線制御装置と、基地局装置と、無線端末装置を有した無線通信システムにおいて、
前記ＩＤ管理装置は、前記無線端末装置に対するＩＤの情報の設定に関する制御情報を前記運用管理装置に対して送信するＩＤ管理制御情報送信手段を備え、
前記運用管理装置は、前記ＩＤ管理装置から送信された前記制御情報を受信する運用管理制御情報受信手段と、受信した前記制御情報に基づく制御情報を前記回線制御装置に対して送信する運用管理制御情報送信手段を備え、
前記回線制御装置は、前記運用管理装置から送信された前記制御情報を受信する回線制御制御情報受信手段と、受信した前記制御情報に基づく制御情報を前記基地局装置に対して送信する回線制御制御情報送信手段を備え、
前記基地局装置は、前記回線制御装置から送信された前記制御情報を受信する基地局制御情報受信手段と、受信した前記制御情報に基づく制御情報を前記無線端末装置に対して無線により送信する基地局制御情報無線送信手段を備え、
前記無線端末装置は、前記基地局装置から無線により送信された前記制御情報を受信する無線端末制御情報無線受信手段と、受信した前記制御情報に基づいてＩＤの情報をメモリに設定するＩＤ情報メモリ設定手段を備え、
前記ＩＤ管理装置と前記運用管理装置と前記回線制御装置のうちの１つ以上の装置は、前記無線端末装置に対して設定されるＩＤの情報を記憶するＩＤ情報記憶手段を備えた、
ことを特徴とする無線通信システム。
【請求項５】
複数のＩＤ管理装置と、運用管理装置と、回線制御装置と、基地局装置と、無線端末装置を有した無線通信システムにおいて、
前記運用管理装置と複数の前記ＩＤ管理装置とを接続する回線網を設け、
それぞれの前記ＩＤ管理装置は、前記無線端末装置と有線回線により接続する有線接続手段と、前記有線回線により接続された前記無線端末装置に関する情報を前記回線網を介して前記運用管理装置に対して送信する情報送信手段を備え、
前記運用管理装置は、前記ＩＤ管理装置から送信された情報を前記回線網を介して受信する情報受信手段と、受信した情報を記憶する情報記憶手段を備えた、
ことを特徴とする無線通信システム。
【発明の詳細な説明】
【技術分野】
【０００１】
本発明は、ＩＤ管理装置により無線端末装置に対して識別情報（ＩＤ）を設定する無線通信システムに関し、特に、無線端末装置に設定される識別情報（ＩＤ）などの環境情報を効果的に管理する無線通信システムに関する。
【背景技術】
【０００２】
例えば、空港内デジタル移動通信システムのような無線通信システムでは、空港内に基地局装置や回線制御装置などを設置して、基地局装置と端末装置との間で無線により通信することが行われる。
（１）第１の例を説明する。
図５には、マルチチャネルアクセス（ＭＣＡ：Ｍｕｌｔｉ−Ｃｈａｎｎｅｌ  Ａｃｃｅｓｓ）方式を用いた空港内の無線通信システム（空港ＭＣＡ無線システム）の構成例を示してある。
具体的には、基地局装置Ｆ１、Ｆ２と回線制御装置２１と運用管理装置２２とＩＤ管理装置２３を備えた運用管理側と、基地局装置Ｆ１、Ｆ２との間で無線により通信する無線端末装置Ｇ１、Ｇ２を示してある。
【０００３】
それぞれの無線端末装置Ｇ１、Ｇ２には、当該無線端末装置Ｇ１、Ｇ２に固有な識別情報（固有ＩＤ）や、当該無線端末装置Ｇ１、Ｇ２が属するシステムの識別情報（システムＩＤ）や、当該無線端末装置Ｇ１、Ｇ２が属するグループの識別情報（グループＩＤ）などが設定される。
運用管理装置２２やＩＤ管理装置２３では、それぞれの無線端末装置Ｇ１、Ｇ２に設定された各種の識別情報（ＩＤ）をメモリに記憶して管理する。
或る無線端末装置Ｇ１についてＩＤの設定内容を変更する場合には、当該無線端末装置Ｇ１を運用管理装置２２の設置場所まで移動させて、当該無線端末装置Ｇ１と運用管理装置２２とをシリアル回線などの有線回線２４で接続して、運用管理装置２２から有線回線２４を介して当該無線端末装置Ｇ１へ制御情報を送信して、当該無線端末装置Ｇ１に設定されたＩＤの設定内容を変更する。また、ＩＤの新規設定や削除などについても同様な方法で行うことができる。
【０００４】
（２）第２の例を説明する。
図６（ａ）、（ｂ）には、空港ＭＣＡ無線システムにおける環境情報の流れの一例を示してある。
本例では、ＩＤ管理装置３１は、環境情報のファイル（環境情報ファイル）を記憶するメモリなどの記憶部３２を有している。
図６（ａ）に示されるように、無線端末装置３３がＩＤ管理装置３１が設置されている場所に持ち運ばれて或いはＩＤ管理装置３１が持ち運ばれて、ＩＤ管理装置３１と無線端末装置３３とが有線回線３４を介して接続されて、無線端末装置３３からＩＤ管理装置３１へ環境情報が送信される。ＩＤ管理装置３１では、無線端末装置３３から受信した環境情報をファイルとして記憶部３２に記憶する。
図６（ｂ）に示されるように、ＩＤ管理装置３１は、設置された状態で或いは持ち運ばれて、運用管理装置４２とシリアル回線などの有線回線４３で接続され、無線端末装置３３から取得して記憶部３２に記憶した環境情報ファイルを運用管理装置４２や回線制御装置４１から成るシステム内（運用管理側）へ反映させる。
【０００５】
【非特許文献１】ＡＲＩＢ  ＳＴＤ−Ｔ８７、「空港内デジタル移動通信システム」、社団法人電波産業会
【発明の開示】
【発明が解決しようとする課題】
【０００６】
しかしながら、上記のような無線通信システムでは、端末装置に設定される識別情報（ＩＤ）などの環境情報を管理することについて未だに不十分であり、更なる開発が要求されていた。
本発明は、このような従来の事情に鑑み為されたもので、無線端末装置に設定される識別情報（ＩＤ）などの環境情報を効果的に管理することができる無線通信システムを提供することを目的とする。
【０００７】
以下で、具体例を説明する。
（１）図５を用いて示したようなＩＤの設定（例えば、新規設定や変更など）では、無線端末装置Ｇ１、Ｇ２を運用管理装置２２などが設置されたセンタ局の場所まで持ち運ばなければならないため、ＩＤを設定する作業が非常に面倒であり非効率的であるといった不具合があった。
本発明は、例えば、無線端末装置に設定される識別情報（ＩＤ）を効果的に変更などすることができる無線通信システムを提供することを目的とする。
【０００８】
（２）図６（ａ）、（ｂ）を用いて示したような環境情報の収集では、ＭＣＡ無線システム内でＩＤなどに関する環境情報を共有する場合には、無線端末装置３３に環境情報を登録した後に、運用管理装置４２などが設置されているセンタ局の場所まで装置を移動して登録することが必要であり、一般にセンタ局は遠地にあるため、非常に面倒であり非効率的であるといった不具合があった。
また、環境情報がＩＤ管理装置３１と運用管理装置４２との間で共有されていたため、例えば、複数のＩＤ管理装置を設けるようなことができなかった。
本発明は、例えば、無線端末装置に関する環境情報を効果的に収集などすることができる無線通信システムを提供することを目的とし、また、例えば、複数のＩＤ管理装置を設けることが可能な無線通信システムを提供することを目的とする。
【課題を解決するための手段】
【０００９】
上記目的を達成するため、本発明に係る無線通信システムでは、ＩＤ管理装置と、運用管理装置と、回線制御装置と、基地局装置と、無線端末装置を有した構成において、次のような処理を行う。
すなわち、前記ＩＤ管理装置では、ＩＤ情報設定手段が、前記無線端末装置に対して、ＩＤに関する情報を設定する。
前記ＩＤ管理装置と前記運用管理装置と前記回線制御装置のうちの１つ以上の装置では、ＩＤ情報記憶手段が、前記ＩＤ管理装置により前記無線端末装置に対して設定される前記ＩＤに関する情報を記憶する。
従って、無線端末装置に設定される識別情報（ＩＤ）を効果的に管理することができる。
【００１０】
ここで、ＩＤ管理装置や、運用管理装置や、回線制御装置や、基地局装置や、無線端末装置としては、それぞれ、種々な装置が用いられてもよい。
ＩＤ管理装置は、例えば、無線端末装置に対して各種のＩＤを設定する機能などを有する。
運用管理装置は、例えば、自動的に或いは手動により、無線通信システムを運用して管理する機能を有しており、一例として、人（ユーザ）により操作されて各種の制御や処理を行う操作卓などを用いて構成することが可能である。また、運用管理装置は、例えば、ＩＤに関する情報などの環境情報や運用管理に関する情報を人（ユーザ）に対して表示出力する画面を備えてもよい。
回線制御装置は、例えば、１つ又は複数の基地局装置と接続して、回線制御を行う機能などを有する。
基地局装置は、当該基地局装置の通信可能領域に存在する１つ以上の無線端末装置と無線により通信する機能などを有する。
無線端末装置は、基地局装置との間で無線により通信する機能などを有する。
【００１１】
また、ＩＤに関する情報としては、種々な情報が用いられてもよく、例えば、各無線端末装置に固有なＩＤ（固有ＩＤ）の情報や、各無線端末装置が複数のシステムに分けられて通信が行われる場合におけるシステムを識別するＩＤ（システムＩＤ）の情報や、各無線端末装置が複数のグループに分けられて通信が行われる場合におけるグループを識別するＩＤ（グループＩＤ）の情報などを用いることができる。
また、情報を記憶する手段としては、例えば、メモリを用いて構成することができる。
また、ＩＤ情報記憶手段は、例えば、装置毎に独立に備えられてもよく、或いは、２つ以上の装置で共有されて備えられてもよい。
また、情報の設定としては、例えば、新規な設定（新規な登録）や、既に設定されている情報の変更（変更登録）や、既に設定されている情報の削除などを用いることができる。
【００１２】
本発明に係る無線通信システムでは、一構成例として、次のような処理を行う。
すなわち、前記ＩＤ情報記憶手段には、前記無線端末装置に関する環境情報が記憶される。
前記ＩＤ管理装置と前記運用管理装置と前記回線制御装置のうちの１つ以上の装置では、環境情報処理実行手段が、前記ＩＤ情報記憶手段に記憶された前記無線端末装置に関する環境情報に基づく処理を実行する。
従って、無線端末装置に設定される環境情報を効果的に管理することができ、環境情報に基づいて適切な処理を実行することができる。
【００１３】
ここで、無線端末装置に関する環境情報としては、種々な情報が用いられてもよく、例えば、ＩＤに関する情報や、無線端末装置による無線通信の状況に関する情報や、無線端末装置による無線通信の品質の状況に関する情報や、無線端末装置の位置に関する情報などを用いることができる。
また、環境情報に基づく処理としては、種々な処理が用いられてもよく、例えば、ＩＤの割り当てに基づく個別の通信処理或いはシステム毎の通信処理或いはグループ毎の通信処理や、通信の状況や通信の品質の状況に基づく通信チャネルの割り当て処理などの通信制御処理などを用いることができる。
また、環境情報処理実行手段は、例えば、１つの装置に備えられた機能から構成されてもよく、或いは、２つ以上の装置に備えられた機能から構成されてもよい。
【００１４】
本発明に係る無線通信システムでは、一構成例として、次のような処理を行う。
すなわち、前記ＩＤに関する情報として、前記無線端末装置が属するグループを識別するグループＩＤの情報が用いられる。
前記ＩＤ管理装置では、前記ＩＤ情報設定手段は、前記無線端末装置に設定された当該無線端末装置が属するグループＩＤの情報を変更して、無線端末装置のグループ編成を変更する。
従って、ＩＤ管理装置により無線端末装置に設定されるグループＩＤを変更することにより、グループの編成を変更することができる。
【００１５】
一例として、緊急時ではない時（例えば、通常時）におけるグループ編成と緊急時におけるグループ編成とを異ならせて、そして、ＩＤ管理装置が、緊急時ではない時に緊急時となったことを検出したことに応じて、緊急時におけるグループ編成に従って１つ又は複数の無線端末装置に設定されたグループＩＤの情報を変更するようなことが可能である。この場合、緊急時ではない時におけるグループ編成の内容や、緊急時におけるグループ編成の内容は、例えば、予め、ＩＤ管理装置或いは運用管理装置などのメモリに記憶される。また、緊急時となったことを検出する態様としては、種々な態様が用いられてもよく、例えば、人（ユーザ）がＩＤ管理装置や運用管理装置などを操作して緊急時となったことを知らせたことに基づいて検出する態様や、人（ユーザ）が無線端末装置を操作して当該無線端末装置がＩＤ管理装置や運用管理装置などに対して緊急時となったことを示す信号を送信したことに基づいて当該信号の受信により検出する態様や、取得した画像のデータを解析して当該画像中に異常を検出した場合或いは取得した温度が所定の閾値を超えた場合などのように予め設定された条件を満たす場合に緊急時となったことを（自動的に）検出する態様などを用いることができる。
【００１６】
本発明に係る無線通信システムでは、ＩＤ管理装置と、運用管理装置と、回線制御装置と、基地局装置と、無線端末装置を有した構成において、次のような処理を行う。
すなわち、前記ＩＤ管理装置では、ＩＤ管理制御情報送信手段が、前記無線端末装置に対するＩＤの情報の設定に関する制御情報を前記運用管理装置に対して送信する。
前記運用管理装置では、運用管理制御情報受信手段が、前記ＩＤ管理装置から送信された前記制御情報を受信し、そして、運用管理制御情報送信手段が、受信した前記制御情報に基づく制御情報を前記回線制御装置に対して送信する。
前記回線制御装置では、回線制御制御情報受信手段が、前記運用管理装置から送信された前記制御情報を受信し、そして、回線制御制御情報送信手段が、受信した前記制御情報に基づく制御情報を前記基地局装置に対して送信する。
前記基地局装置では、基地局制御情報受信手段が、前記回線制御装置から送信された前記制御情報を受信し、そして、基地局制御情報無線送信手段が、受信した前記制御情報に基づく制御情報を前記無線端末装置に対して無線により送信する。
前記無線端末装置では、無線端末制御情報無線受信手段が、前記基地局装置から無線により送信された前記制御情報を受信し、そして、ＩＤ情報メモリ設定手段が、受信した前記制御情報に基づいてＩＤの情報をメモリに設定する。
また、前記ＩＤ管理装置と前記運用管理装置と前記回線制御装置のうちの１つ以上の装置では、ＩＤ情報記憶手段が、前記無線端末装置に対して設定されるＩＤの情報を記憶する。
従って、無線端末装置に設定される識別情報（ＩＤ）を効果的に管理することができ、例えば、無線端末装置に設定される識別情報（ＩＤ）を効果的に変更などすることができる。
【００１７】
ここで、無線端末装置に対するＩＤの情報の設定に関する制御情報としては、種々な情報が用いられてもよく、例えば、設定対象となる無線端末装置を特定する端末番号などの情報（例えば、ＩＤの情報）や、設定すべきＩＤの情報（例えば、変更後におけるＩＤの情報）を含むような情報を用いることができる。
また、受信した制御情報に基づく制御情報を送信する態様としては、例えば、受信した制御情報の内容をそのまま送信する態様や、或いは、受信した制御情報の一部を抽出して送信する態様や、或いは、受信した制御情報に他の情報を加えて送信する態様などを用いることができる。
【００１８】
本発明に係る無線通信システムでは、複数のＩＤ管理装置と、運用管理装置と、回線制御装置と、基地局装置と、無線端末装置を有した構成において、次のような処理を行う。
すなわち、前記運用管理装置と複数の前記ＩＤ管理装置とを接続する回線網を設けた。
それぞれの前記ＩＤ管理装置では、有線接続手段が、前記無線端末装置と有線回線により接続し、また、情報送信手段が、前記有線回線により接続された前記無線端末装置に関する情報を、前記回線網を介して、前記運用管理装置に対して送信する。
前記運用管理装置では、情報受信手段が、前記ＩＤ管理装置から送信された情報を前記回線網を介して受信し、そして、情報記憶手段が、受信した情報を記憶する。
従って、無線端末装置に設定される識別情報（ＩＤ）などの情報を効果的に管理することができ、例えば、無線端末装置に関する環境情報を効果的に収集などすることができる。また、１つの運用管理装置に対して複数のＩＤ管理装置を設けることが可能である。
【００１９】
ここで、回線網としては、種々なものが用いられてもよく、例えば、公衆回線やＬＡＮ（Ｌｏｃａｌ  Ａｒｅａ  Ｎｅｔｗｏｒｋ）回線などの回線網を用いることができる。
また、ＩＤ管理装置から運用管理装置に対して送信する情報（無線端末装置に関する情報）としては、種々な情報が用いられてもよく、例えば、無線端末装置に設定されるＩＤなどに関する情報や、無線端末装置により検出される通信状況などに関する情報などを用いることができる。
また、ＩＤ管理装置では、例えば、無線端末装置に対して情報を設定する場合に当該情報を当該無線端末装置に設定される情報として取得して送信する態様を用いることや、或いは、無線端末装置に設定された情報を当該無線端末装置から入力により取得して送信する態様を用いることや、無線端末装置により検出された情報を当該無線端末装置から入力により取得して送信する態様を用いることなどができる。
また、運用管理装置では、例えば、無線端末装置を識別する情報と対応付けて当該無線端末装置に関する他の情報を情報記憶手段により記憶する。
【発明の効果】
【００２０】
以上説明したように、本発明に係る無線通信システムによると、ＩＤ管理装置が無線端末装置に対してＩＤに関する情報を設定し、ＩＤ管理装置或いは運用管理装置或いは回線制御装置のうちの１つ以上の装置が無線端末装置に対して設定されるＩＤに関する情報を記憶するようにしたため、無線端末装置に設定される情報を効果的に管理することができる。
また、一構成例として、無線端末装置に関する環境情報を記憶して、ＩＤ管理装置或いは運用管理装置或いは回線制御装置のうちの１つ以上の装置が記憶された無線端末装置に関する環境情報に基づく処理を実行するようにしたため、環境情報に基づいて適切な処理を実行することができる。
また、一構成例として、ＩＤ管理装置が、無線端末装置に設定された当該無線端末装置が属するグループＩＤの情報を変更するようにしたため、グループの編成を変更することができる。
【００２１】
本発明に係る無線通信システムによると、ＩＤ管理装置が無線端末装置に対するＩＤの情報の設定に関する制御情報を運用管理装置に対して送信し、当該制御情報に基づく情報が運用管理装置と回線制御装置と基地局装置を介して無線端末装置に対して無線により送信され、無線端末装置が受信した当該情報に基づいてＩＤの情報をメモリに設定し、また、ＩＤ管理装置或いは運用管理装置或いは回線制御装置のうちの１つ以上の装置が無線端末装置に対して設定されるＩＤの情報を記憶するようにしたため、無線端末装置に設定される情報を効果的に管理することができ、例えば、無線端末装置に設定される情報を効果的に変更などすることができる。
【００２２】
本発明に係る無線通信システムによると、運用管理装置と複数のＩＤ管理装置とを接続する回線網を設け、それぞれのＩＤ管理装置が無線端末装置と有線回線により接続して当該無線端末装置に関する情報を取得して回線網を介して運用管理装置に対して送信し、運用管理装置がそれぞれのＩＤ管理装置から送信された情報を回線網を介して受信して記憶するようにしたため、無線端末装置に設定される情報を効果的に管理することができ、例えば、無線端末装置に関する情報を効果的に収集などすることができ、また、１つの運用管理装置に対して複数のＩＤ管理装置を設けることが可能である。
【発明を実施するための最良の形態】
【００２３】
本発明に係る実施例を図面を参照して説明する。
まず、本実施例に係る空港ＭＣＡ無線システムの概要的な構成例や動作例を示す。
本例の空港ＭＣＡ無線システムでは、運用管理装置と回線制御装置によりセンタ局が構成されており、少なくとも１つの基地局装置がセンタ局に接続されており、複数の無線端末装置が移動局として設けられている。
複数の無線端末装置の各々では、固有のＩＤやグループのＩＤなどを設定するＩＤ管理装置により、各ＩＤの設定（例えば、新規設定や変更など）が行われる。
また、設定が行われた各無線端末装置のＩＤに関する情報などを運用管理装置或いは回線制御装置或いはＩＤ管理装置或いはこれらのうちの２つ以上の装置に記憶する記憶テーブルなどの記憶部を有する。
【００２４】
また、このような記憶部の記憶テーブルなどでは、各無線端末装置などについて、ＩＤに関する情報や、監視情報や、制御情報や、システム設定情報や、通信記録情報などの各種の環境情報を記憶する。
そして、運用管理装置や回線制御装置やＩＤ管理装置などでは、任意の無線端末装置についての任意の環境情報に基づいて、監視動作や、制御動作や、設定動作や、通信動作や、通知動作などの各種の処理動作を行う。
また、例えば、ＩＤ管理装置により各無線端末装置に設定されるグループＩＤを変更することにより、各無線端末装置が属するグループを変更する。
また、例えば、任意の無線端末装置の緊急時に、当該無線端末装置が属するグループに含まれる無線端末装置や、設定されている他のグループに含まれる無線端末装置について、再設定を行う。この場合、緊急時であることは例えば無線端末装置から発せられる信号に基づいて検出され、また、緊急時におけるグループ編成の内容は例えば予め設定される。
【００２５】
本例では、各無線端末装置には、各種のＩＤなどの情報を記憶するメモリなどの記憶部が備えられている。
また、各無線端末装置には、当該無線端末装置に固有な識別情報（固有ＩＤ）や、当該無線端末装置が属するシステムを識別する識別情報（システムＩＤ）や、当該無線端末装置が属するグループを識別する識別情報（グループＩＤ）などが設定される。
それぞれのＩＤは、例えば、番号などの情報を用いて規定することができ、また、例えば、アドレス情報などとして使用することも可能である。
【００２６】
ここで、本例の空港ＭＣＡ無線システムでは、無線端末装置や基地局装置などの多数の装置を複数のシステムに区切って分配することが可能であり、それぞれのシステム毎に固有な識別情報（システムＩＤ）を用いて、各装置が属するシステムを特定や管理などする。
また、本例の空港ＭＣＡ無線システムでは、多数の無線端末装置を複数のグループに区切って分配することが可能であり、それぞれのグループ毎に固有な識別情報（グループＩＤ）を用いて、各装置が属するグループを特定や管理などする。グループとしては、例えば、空港内における業務に応じたグループを用いることができる。
また、システムやグループの編成は、運用管理装置などにより動的に再設定（変更）することが可能であり、この場合、該当する装置のシステムＩＤやグループＩＤが変更される。
【００２７】
また、本例の空港ＭＣＡ無線システムでは、無線端末装置などに関する環境情報を運用管理装置やＩＤ管理装置などにより取得して記憶して管理する。
環境情報としては、種々な情報が用いられてもよく、例えば、ＩＤに関する情報や、監視に関する情報や、制御に関する情報や、システムの設定に関する情報や、通信記録に関する情報や、保守に関する情報や、運用に関する情報や、無線端末装置などの各装置の状態に関する情報や、無線端末装置などにおける受信レベルや受信誤り率などといった電波の品質に関する情報や、通信に使用される無線チャネルの使用状況に関する情報などを用いることができる。
また、環境情報は、例えば、運用管理装置やＩＤ管理装置などが無線端末装置などに対して情報通知の要求を発したことに応じて、当該無線端末装置などから運用管理装置やＩＤ管理装置などに対して送信されて取得される。或いは、ＩＤ管理装置などが無線端末装置に対してＩＤなどの環境情報を設定する場合には、その設定内容に相当する環境情報が取得される。
また、環境情報は、例えば、定期的に取得されてもよく、或いは、変更などがあったときに取得されてもよい。
【実施例１】
【００２８】
本発明の第１実施例に係る空港ＭＣＡ無線システムを説明する。
図１には、本例の空港ＭＣＡ無線システムの構成例を示してある。
本例の空港ＭＣＡ無線システムは、回線制御装置１と、運用管理装置２と、ＩＤ管理装置３と、複数の基地局装置Ａ１、Ａ２と、複数の無線端末装置Ｂ１、Ｂ２を備えている。
また、運用管理装置２やＩＤ管理装置３の一方又は両方は、環境情報を記憶するメモリなどから構成された記憶部４を有している。なお、本例では、記憶部４は、例えば、運用管理装置２とＩＤ管理装置３とで共有されてもよい。
【００２９】
本例では、例えば有線回線により接続された回線制御装置１と運用管理装置２とからセンタ局が構成されており、回線制御装置１には例えば有線回線を介してそれぞれの基地局装置Ａ１、Ａ２が接続されており、運用管理装置２には例えば有線回線を介してＩＤ管理装置３が接続されている。
また、それぞれの無線端末装置Ｂ１、Ｂ２は、当該無線端末装置Ｂ１、Ｂ２を収容する基地局装置Ａ１、Ａ２との間で無線により通信する。これにより、各無線端末装置Ｂ１、Ｂ２同士は、基地局装置Ａ１、Ａ２を介して、通話やデータ通信などを行うことができる。
また、運用管理装置２は、空港ＭＣＡ無線システムを管理する機能を有しており、例えば、監視／制御を行う機能や、システム設定を行う機能や、通信記録を集計する機能などを有している。
【００３０】
このように、本例の空港ＭＣＡ無線システムでは、回線制御装置１を中心にして、運用管理装置２、ＩＤ管理装置３、無線の基地局装置Ａ１、Ａ２、無線の端末装置Ｂ１、Ｂ２、有線の端末装置（図示せず）などが有線或いは無線で接続されており、これらの各装置が空港の管理運営や空港内における一般業務に使用される。
【００３１】
本例の空港ＭＣＡ無線システムでは、当該システムで使用している情報経路をそのまま活かして、離隔的な（リモートの）制御により、ＩＤの設定（例えば、新規設定や変更など）を簡易に実現する。
図２には、本例の空港ＭＣＡ無線システムにおけるＩＤのリモート設定の一例を示してある。
本例では、ＩＤ管理装置３からの指示を受けた運用管理装置２が、ＩＤの変更対象となる無線端末装置Ｂ１に対して、例えば、ＩＤを変更する要求や、変更後のＩＤを含む制御情報を送信する。この制御情報は、運用管理装置２から回線制御装置１を介して基地局装置Ａ２に入力され、当該基地局装置Ａ２から変更対象となる無線端末装置Ｂ１に対して無線により送信される。この制御情報を受信した無線端末装置Ｂ１では、受信した制御情報に基づいて、当該無線端末装置Ｂ１の記憶部に設定されたＩＤを変更する。
【００３２】
また、無線端末装置Ｂ１や回線制御装置１では、ＩＤを変更したことを確認するための応答情報を運用管理装置２に対して送信する。運用管理装置２は、この応答情報をＩＤ管理装置３へ送信する。
また、運用管理装置２或いはＩＤ管理装置３は、必要に応じて、このようなＩＤの変更内容に合わせるように、記憶部４の記憶内容を変更する。
なお、ＩＤの新規設定や削除などについても同様な方法で行うことができる。
また、ＩＤとしては、例えば、固有ＩＤや、システムＩＤや、グループＩＤなどを用いることができる。
【００３３】
また、ＩＤの設定（例えば、新規設定や変更など）は、例えば、人によるＩＤ管理装置３や運用管理装置２などの操作に応じて行われ、或いは、無線端末装置Ｂ１、Ｂ２などからＩＤ管理装置３や運用管理装置２などへの指示に応じて行われ、或いは、ＩＤ管理装置３や運用管理装置２などが予め設定された条件に基づいて所定の条件が満たされることに応じて自動的に行われる。
【００３４】
図３を参照して、本例の空港ＭＣＡ無線システムで行われるＩＤのリモート設定の処理の手順の一例を示す。
まず、ＩＤ管理装置３が、ＩＤを変更する対象となる無線端末装置（本例では、無線端末装置Ｂ１）の端末番号（例えば、固有ＩＤ）の情報と変更に係る設定内容の情報（例えば、グループＩＤなどの設定情報）を運用管理装置２へ送信する。
次に、運用管理装置２は、ＩＤ管理装置３から受信した情報を回線制御装置１へ送信する。
次に、回線制御装置１は、運用管理装置２から受信した設定情報を、基地局装置Ａ２経由で、運用管理装置２から受信した端末番号により特定される無線端末装置Ｂ１へ送信する。
また、回線制御装置１は、このような送信を行ったことについて、運用管理装置２へ応答を返す。
そして、運用管理装置２は、回線制御装置２から応答を受信すると、ＩＤ管理装置へ応答を返す。
【００３５】
以上のように、本例の空港ＭＣＡ無線システムでは、回線制御装置１や、回線制御装置１に接続されてシステムの各種操作を行う運用管理装置２や、基地局装置Ａ１、Ａ２や、有線（図示せず）並びに無線の端末装置Ｂ１、Ｂ２や、その端末装置Ｂ１、Ｂ２の環境情報を登録や変更などするＩＤ管理装置３で構成されるデジタル無線システムにおいて、無線端末装置Ｂ１、Ｂ２のＩＤ設定を変更などすることを、有線による接続方式ではなく、無線によるリモート接続方式を用いて行う。
従って、本例の空港ＭＣＡ無線システムでは、無線端末装置Ｂ１、Ｂ２のＩＤ設定を無線によりリモートで行うことができ、例えば、空港エリア内において、無線端末装置Ｂ１、Ｂ２がいずれの場所に存在しても、ＩＤ設定を無線によりリモートで確実に行うことが可能である。また、例えば、多数の無線端末装置Ｂ１、Ｂ２に対するＩＤ書き込みを、無線端末装置Ｂ１、Ｂ２の場所を問わず、実施することができる。また、例えば、人（ユーザ）からの要求に応じて、ＩＤ設定することが可能である。
【００３６】
ここで、本例の空港ＭＣＡ無線システムは、例えば、ＡＲＩＢ規格ＳＴＤ−Ｔ８７の空港内デジタル移動通信システムに適用することができ、この場合、ＭＣＡ無線通信手順（ＡＲＩＢ規格ＳＴＤ−Ｔ８７）に本例のようなＩＤ設定を行うための手順を追加する。
また、本例の空港ＭＣＡ無線システムと同様な構成や動作は、例えば、市町村防災無線システムなどの種々なものに適用されてもよい。
【００３７】
なお、本例のＩＤ管理装置３では、無線端末装置Ｂ１、Ｂ２に対してＩＤに関する情報を設定する機能によりＩＤ情報設定手段が構成されており、例えば、ＩＤの情報の設定に関する制御情報を運用管理装置２に対して送信する機能によりＩＤ管理制御情報送信手段が構成されている。
また、本例の運用管理装置２では、ＩＤ管理装置３から制御情報を受信する機能により運用管理制御情報受信手段が構成されており、回線制御装置１に対して制御情報を送信する機能により運用管理制御情報送信手段が構成されている。
また、本例の回線制御装置１では、運用管理装置２から制御情報を受信する機能により回線制御制御情報受信手段が構成されており、基地局装置Ａ１、Ａ２に対して制御情報を送信する機能により回線制御制御情報送信手段が構成されている。
【００３８】
また、本例の基地局装置Ａ１、Ａ２では、回線制御装置１から制御情報を受信する機能により基地局制御情報受信手段が構成されており、無線端末装置Ｂ１、Ｂ２に対して制御情報を無線送信する機能により基地局制御情報無線送信手段が構成されている。
また、本例の無線端末装置Ｂ１、Ｂ２では、基地局装置Ａ１、Ａ２から制御情報を無線受信する機能により無線端末制御情報無線受信手段が構成されており、受信した情報に基づいてＩＤの情報をメモリに設定する機能によりＩＤ情報メモリ設定手段が構成されている。
また、本例のＩＤ管理装置３や運用管理装置２や回線制御装置１の１つ以上の装置では、ＩＤなどに関する各種の情報をメモリに記憶する機能（本例では、記憶部４の機能）によりＩＤ情報記憶手段が構成されており、環境情報に基づいて各種の処理を実行する機能により環境情報処理実行手段が構成されている。
【実施例２】
【００３９】
本発明の第２実施例に係る空港ＭＣＡ無線システムを説明する。
図４には、本例の空港ＭＣＡ無線システムの構成例を示してある。
本例の空港ＭＣＡ無線システムは、回線制御装置１１と、環境情報のファイル（環境情報ファイル）を記憶するメモリなどの記憶部１３を有した運用管理装置１２と、例えば公衆回線或いはＬＡＮ（Ｌｏｃａｌ  Ａｒｅａ  Ｎｅｔｗｏｒｋ）回線などから構成された回線網１４と、基地局装置１５と、複数（本例では、ｎ個）のＩＤ管理装置Ｃ１〜Ｃｎと、複数の無線端末装置Ｄ１、Ｄ２を備えている。
【００４０】
回線制御装置１１は例えば有線回線により基地局装置１５及び運用管理装置１２と接続されており、運用管理装置１２は例えば有線回線により回線網１４と接続されており、それぞれのＩＤ管理装置Ｃ１〜Ｃｎは例えば有線回線により回線網１４と接続されている。
また、運用管理装置１２とそれぞれのＩＤ管理装置Ｃ１〜Ｃｎとは、例えば、遠隔にある。
また、それぞれのＩＤ管理装置Ｃ１〜Ｃｎは、例えばシリアル回線などの有線回線Ｅ１〜Ｅｎを介して、無線端末装置Ｄ１、Ｄ２と接続されることが可能である。
【００４１】
本例では、それぞれのＩＤ管理装置Ｃ１〜Ｃｎは、有線回線Ｅ１〜Ｅｎを介して接続された無線端末装置Ｄ１、Ｄ２との間で情報を通信（送信や受信）する機能を有しており、各無線端末装置Ｄ１、Ｄ２毎に環境情報を登録（例えば、新規設定や変更設定や削除など）する。
そして、それぞれのＩＤ管理装置Ｃ１〜Ｃｎは、無線端末装置Ｄ１、Ｄ２に登録した環境情報を、システム内（本例では、運用管理側）で扱うために、回線網１４を介して運用管理装置１２へ通知する。
運用管理装置１２は、ＩＤ管理装置Ｃ１〜Ｃｎから環境情報登録の通知を受信すると、ＩＤ管理装置Ｃ１〜Ｃｎから通知された各無線端末装置Ｄ１、Ｄ２の環境情報を回線制御装置１１へ通知する。
回線制御装置１１は、運用管理装置１２から通知された情報を元に、空港ＭＣＡ無線システム内の無線端末装置Ｄ１、Ｄ２を運用する。
また、運用管理装置１２は、ＩＤ管理装置Ｃ１〜Ｃｎから通知された各無線端末装置Ｄ１、Ｄ２の環境情報を記憶部１３に新規登録や更新登録などして反映させる。
【００４２】
また、本例では、運用管理装置１２から回線網１４を介してＩＤ管理装置Ｃ１〜Ｃｎに対して環境情報の登録に関する指示を送信して、当該指示の内容に応じてＩＤ管理装置Ｃ１〜Ｃｎにより無線端末装置Ｄ１、Ｄ２に対して環境情報を登録させるようなことも可能である。
また、本例では、ＩＤ管理装置Ｃ１〜Ｃｎが接続された無線端末装置Ｄ１、Ｄ２に対して要求を発することで当該無線端末装置Ｄ１、Ｄ２から環境情報を取得して、当該取得した環境情報を回線網１４を介して運用管理装置１２へ送信することも可能である。
なお、環境情報の設定（例えば、新規設定や変更や削除など）は、例えば、人によるＩＤ管理装置Ｃ１〜Ｃｎや運用管理装置１２などの操作に応じて行われ、或いは、無線端末装置Ｄ１、Ｄ２などからＩＤ管理装置Ｃ１〜Ｃｎや運用管理装置１２などへの指示に応じて行われ、或いは、ＩＤ管理装置Ｃ１〜Ｃｎや運用管理装置１２などが予め設定された条件に基づいて所定の条件が満たされることに応じて自動的に行われる。
【００４３】
以上のように、本例の空港ＭＣＡ無線システムでは、回線制御装置１１や、回線制御装置１１に接続されてシステムの各種操作を行う運用管理装置１２や、基地局装置１５や、有線（図示せず）並びに無線の端末装置Ｄ１、Ｄ２や、その端末装置Ｄ１、Ｄ２の環境情報を登録（例えば、新規設定や変更設定や削除など）するＩＤ管理装置Ｃ１〜Ｃｎで構成されるデジタル無線システムおいて、ＩＤ管理装置Ｃ１〜Ｃｎから無線端末装置Ｄ１、Ｄ２に登録された環境情報をシステムの管理元である運用管理装置１２に反映させる方式として、例えば公衆回線やＬＡＮ回線などから成る回線網１４を介して、ＩＤ管理装置Ｃ１〜Ｃｎから遠隔地にある運用管理装置１２へ情報を伝達する。
【００４４】
また、本例の空港ＭＣＡ無線システムでは、運用管理装置１２は、複数のＩＤ管理装置Ｃ１〜Ｃｎと接続され、各ＩＤ管理装置Ｃ１〜Ｃｎにより登録された環境情報を記憶部１３により一括管理する。
また、本例の空港ＭＣＡ無線システムでは、運用管理装置１２内の記憶部１３に登録された環境情報は、共有情報として、接続されているＩＤ管理装置Ｃ１〜Ｃｎから参照することや設定情報として使用することなどが可能である。このように、本例では、環境情報を一元管理した上で、公衆回線やＬＡＮ回線などにより、複数のＩＤ管理装置Ｃ１〜Ｃｎから参照や登録などすることが可能である。
【００４５】
従って、本例の空港ＭＣＡ無線システムでは、無線端末装置Ｄ１、Ｄ２や有線端末装置のＩＤ管理などに関する環境情報を容易にシステム内（本例では、運用管理側）に登録することができ、情報の信頼性確保や作業時間の改善を図ることができる。
また、本例の空港ＭＣＡ無線システムでは、無線端末装置Ｄ１、Ｄ２の環境情報を遠隔よりシステム内（本例では、運用管理側）に反映することが可能であり、例えば、ＩＤ管理装置の持ち歩きやインストール作業などの不便さを解消することができる。
【００４６】
ここで、本例の空港ＭＣＡ無線システムは、例えば、ＡＲＩＢ規格ＳＴＤ−Ｔ８７の空港内デジタル移動通信システムに適用することができ、この場合、空港内デジタル移動通信システムの構成（ＡＲＩＢ規格ＳＴＤ−Ｔ８７）に本例のような回線網を用いたＩＤ管理装置と運用管理装置との通信を行うための構成を追加する。
また、本例の空港ＭＣＡ無線システムと同様な構成や動作は、例えば、市町村防災無線システムなどの種々なものに適用されてもよい。
【００４７】
なお、本例のＩＤ管理装置Ｃ１〜Ｃｎでは、無線端末装置Ｄ１、Ｄ２と有線回線Ｅ１〜Ｅｎにより接続する機能により有線接続手段が構成されており、無線端末装置Ｄ１、Ｄ２に対してＩＤに関する情報を設定する機能によりＩＤ情報設定手段が構成されており、無線端末装置Ｄ１、Ｄ２に関する情報を回線網１４を介して運用管理装置１２に対して送信する機能により情報送信手段が構成されている。
また、本例の運用管理装置１２では、ＩＤ管理装置Ｃ１〜Ｃｎから回線網１４を介して情報を受信する機能により情報受信手段が構成されており、受信した情報を記憶部１３に記憶する機能により情報記憶手段が構成されている。
また、本例のＩＤ管理装置Ｃ１〜Ｃｎや運用管理装置１２や回線制御装置１１の１つ以上の装置では、ＩＤなどに関する各種の情報をメモリに記憶する機能（本例では、記憶部１３の機能）によりＩＤ情報記憶手段が構成されており、環境情報に基づいて各種の処理を実行する機能により環境情報処理実行手段が構成されている。
【００４８】
ここで、本発明に係る無線通信システムや各装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々な装置やシステムとして提供することも可能である。
また、本発明の適用分野としては、必ずしも以上に示したものに限られず、本発明は、種々な分野に適用することが可能なものである。
また、本発明に係る無線通信システムや各装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００４９】
【図１】本発明の第１実施例に係る空港ＭＣＡ無線システムの構成例を示す図である。
【図２】ＩＤのリモート設定の一例を示す図である。
【図３】ＩＤのリモート設定の処理手順の一例を示す図である。
【図４】本発明の第２実施例に係る空港ＭＣＡ無線システムの構成例を示す図である。
【図５】ＩＤの設定の一例を示す図である。
【図６】環境情報の流れの一例を示す図である。
【符号の説明】
【００５０】
１、１１、２１、４１・・回線制御装置、  ２、１２、２２、４２・・運用管理装置、  ３、２３、３１、Ｃ１〜Ｃｎ・・ＩＤ管理装置、  ４、１３、３２・・記憶部、  １５、Ａ１、Ａ２、Ｆ１、Ｆ２・・基地局装置、  ３３、Ｂ１、Ｂ２、Ｄ１、Ｄ２、Ｇ１、Ｇ２・・無線端末装置、  １４・・回線網、  ２４、３４、４３、Ｅ１〜Ｅｎ・・有線回線、
【図１】
2006074307.tif 000003
【図２】
2006074307.tif 000004
【図３】
2006074307.tif 000005
【図４】
2006074307.tif 000006
【図５】
2006074307.tif 000007
【図６】
2006074307.tif 000008